(57)【要約】  【課題】  複数の放送周波数を同時集録するキャプチャデータを作成するためには装置内部の回路構成が複雑化し、装置全体規模が大型化してしまう。  【解決手段】  受信アンテナ２経由で受信した複数の放送周波数を含む放送電波を複数分配するアンテナ分配器３と、分配された放送電波毎に、異なる放送周波数のＩＦ信号を取得する複数のフロントエンド部４とを有するＲＦキャプチャ装置１であって、複数のフロントエンド部４にて取得した各放送周波数のＩＦ信号を合成する合成回路５と、この合成回路５にて合成した複数の放送周波数のＩＦ信号をデータ化することで、複数の放送周波数を同時集録したキャプチャデータを作成する単一のキャプチャ集録回路６と、このキャプチャ集録回路６にて作成したキャプチャデータをキャプチャデータ記録回路７に記録保存する制御回路８とを有するようにした。【選択図】  図１
2006279449.tif 000002
【特許請求の範囲】
【請求項１】
到来する、複数の放送周波数を含む放送電波を受信する受信アンテナと、この受信アンテナにて受信した放送電波を複数分配するアンテナ分配器と、このアンテナ分配器にて分配された放送電波毎に、異なる放送周波数の中間周波数信号を取得する複数のフロントエンド部とを有するＲＦキャプチャ装置であって、
複数のフロントエンド部にて取得した各放送周波数の中間周波数信号を合成する合成回路と、
この合成回路にて合成した複数の放送周波数の中間周波数信号をデータ化することで、前記複数の放送周波数を同時集録したキャプチャデータを作成する単一のキャプチャ集録回路と、
このキャプチャ集録回路にて作成したキャプチャデータを記録する制御回路とを有することを特徴とするＲＦキャプチャ装置。
【請求項２】
前記制御回路は、
前記合成回路にて合成した各放送周波数の中間周波数信号の出力レベルを夫々調整すべく、前記キャプチャ集録回路を制御することを特徴とする請求項１記載のＲＦキャプチャ装置。
【請求項３】
前記制御回路は、
前記キャプチャ集録回路にて複数の放送周波数の中間周波数信号をデータ化する際に、前記合成回路にて合成した各放送周波数の中間周波数信号の出力レベルを所定レベルに調整すべく、前記キャプチャ集録回路を制御することを特徴とする請求項1又は２記載のＲＦキャプチャ装置。
【発明の詳細な説明】
【技術分野】
【０００１】
本発明は、到来する、複数の放送周波数を含む放送電波を受信し、この受信した放送電波に含まれる放送周波数の中間周波数信号をデータ化することで、複数の放送周波数を集録した、例えば車載用放送受信装置等の放送受信検証等に使用するキャプチャデータを記録するＲＦキャプチャ装置に関する。
【背景技術】
【０００２】
本出願人は、従来のＲＦキャプチャ装置として参考となる先行技術文献を発見する努力をしたものの、その発見までに至らなかったため、次のようなＲＦキャプチャ装置を従来の技術としてあげる。図３は従来のＲＦキャプチャ装置内部の概略構成を示すブロック図である。
【０００３】
図３に示すＲＦキャプチャ装置１００は、到来する、複数の放送周波数を含む放送電波を受信する受信アンテナ１０１と、この受信アンテナ１０１にて受信した放送電波から所望の特定放送周波数の中間周波数信号（以下、ＩＦ信号と称する）を取得するフロントエンド部１０２と、このフロントエンド部１０２にて取得した特定放送周波数のＩＦ信号をデータ化することで特定放送周波数を集録したキャプチャデータを作成するキャプチャ集録回路１０３と、このキャプチャ集録回路１０３にて作成したキャプチャデータを記録するキャプチャデータ記録回路１０４と、このＲＦキャプチャ装置１００全体を制御する制御回路１０５とを有している。尚、説明の便宜上、放送電波に含まれる放送周波数の数は、例えばｆ１〜ｆ５の５個とする。
【０００４】
フロントエンド部１０２は、受信アンテナ１０１にて受信した放送電波の放送信号を抽出し、この抽出した放送信号を増幅するＲＦ増幅回路１１１と、局部発振周波数を生成する発振回路１１２と、局部発振周波数に基づき、ＲＦ増幅回路１１１からの放送信号を周波数変換することで、複数の放送周波数の内、特定放送周波数のＩＦ信号を取得する周波数変換回路１１３と、この周波数変換回路１１３にて取得した特定放送周波数のＩＦ信号を増幅するＩＦ増幅回路１１４とを有している。
【０００５】
ＲＦ増幅回路１１１は、受信アンテナ１０１にて受信した放送電波の放送信号から全放送周波数（ｆ１〜ｆ５）を含む放送帯域の放送信号のみを抽出する通過特性を有するものである。
【０００６】
キャプチャ集録回路１０３は、ＩＦ増幅回路１１４にて増幅した特定放送周波数のＩＦ信号の出力レベルを調整するレベル調整回路１２１と、レベル調整したＩＦ信号をＡ／Ｄ変換してデータ化することで特定放送周波数を集録したキャプチャデータを作成するＡ／Ｄ変換回路１２２と、このキャプチャデータを記憶するメモリ回路１２３とを有している。
【０００７】
レベル調整回路１２１は、図４及び図５に示すように全放送周波数（ｆ１〜ｆ５）のＩＦ信号の内、最大出力レベルのＩＦ信号に合わせて、同最大出力レベルのＩＦ信号がＡ／Ｄ変換回路１２２のダイナミックレンジに収まるように、ＩＦ増幅回路１１４からの特定放送周波数のＩＦ信号をレベル調整するものである。
【０００８】
制御回路１０５は、レベル調整回路１２１のレベル調整を制御すると共に、Ａ／Ｄ変換回路１２２で使用するサンプリングクロックを同Ａ／Ｄ変換回路１２２に供給すると共に、メモリ回路１２３に記憶中のキャプチャデータをキャプチャデータ記録回路１０４に記録するものである。
【０００９】
次に図３に示すＲＦキャプチャ装置１００の動作について説明する。
【００１０】
フロントエンド部１０２内のＲＦ増幅回路１１１は、受信アンテナ１０１を経由して放送電波を受信すると、この放送電波から全放送周波数（ｆ１〜ｆ５）の放送信号を抽出し、この抽出した放送信号を増幅して周波数変換回路１１３に供給する。
【００１１】
周波数変換回路１１３は、発振回路１１２からの局部発振周波数に基づき、ＲＦ増幅回路１１１からの放送信号を周波数変換することで特定放送周波数のＩＦ信号を取得し、このＩＦ信号をＩＦ増幅回路１１４に供給する。
【００１２】
ＩＦ増幅回路１１４は、特定放送周波数のＩＦ信号を増幅し、この増幅した特定放送周波数のＩＦ信号をキャプチャ集録回路１０３に供給する。
【００１３】
キャプチャ集録回路１０３内のレベル調整回路１２１は、特定放送周波数のＩＦ信号の出力レベルを一律に調整し、この出力レベルを調整したＩＦ信号をＡ／Ｄ変換回路１２２に供給する。Ａ／Ｄ変換回路１２２は、出力レベルを調整したＩＦ信号をデータ化することで特定放送周波数を集録したキャプチャデータを作成し、この特定放送周波数を集録したキャプチャデータをメモリ回路１２３に記憶する。
【００１４】
そして、制御回路１０５は、メモリ回路１２３に記憶中の特定放送周波数のキャプチャデータをキャプチャデータ記録回路１０４に記録することになる。
【００１５】
従って、図３に示すＲＦキャプチャ装置１００によれば、複数の放送周波数の内、特定放送周波数のＩＦ信号を取得し、この特定放送周波数のＩＦ信号の出力レベルを調整した後にデータ化することで特定放送周波数を集録したキャプチャデータを作成し、このキャプチャデータをキャプチャデータ記録回路１０４に記録するようにしたので、放送周波数単位でキャプチャデータを記録することができる。
【００１６】
しかしながら、このＲＦキャプチャ装置１００によれば、放送電波に含まれる複数の放送周波数、例えば５個分の放送周波数ｆ１〜ｆ５のキャプチャデータを作成する場合、放送周波数単位で計５回の放送周波数のキャプチャデータを取得する作業が必要となる。さらに、単一のフロントエンド部１０２にて複数の放送周波数のＩＦ信号を取得するためには、その内部のＲＦ増幅回路１１１は全放送周波数ｆ１〜ｆ５を抽出する通過特性を持たせる必要がある。
【００１７】
さらに、ＲＦキャプチャ装置１００によれば、複数の放送周波数の内、最大出力レベルのＩＦ信号がＡ／Ｄ変換回路１２２のダイナミックレンジに収まるように、レベル調整回路１２１にて各放送周波数のＩＦ信号の出力レベルを一律にレベル調整するようにしたが、図４に示すように、ＲＦ増幅回路１１１にて各放送周波数のＩＦ信号の出力レベルが夫々異なることから、複数の放送周波数のＩＦ信号の内、出力レベルが小さいＩＦ信号、例えば放送周波数ｆ１のＩＦ信号（図４参照）が存在する場合、一律にレベル調整をすると、図５に示すように同放送周波数のＩＦ信号ｆ１の出力レベルが一段と抑圧されてしまうことになるため、その結果、正確なキャプチャデータを取得することができないといった事態が生じる。
【００１８】
そこで、このような事態に対処すべく、近年、ＲＦキャプチャ装置では、放送周波数単位ではなく、正確に複数の放送周波数を同時集録したキャプチャデータを作成することが望まれている。
【００１９】
そこで、この要望に対応すべく、図６に示すＲＦキャプチャ装置が考えられている。図６は従来のＲＦキャプチャ装置内部の概略構成を示すブロック図である。尚、図３に示すＲＦキャプチャ装置１００と同一のものには同一符号を付すことで、その重複する構成及び動作の説明については省略する。
【００２０】
図６に示すＲＦキャプチャ装置１００Ａが図３に示すＲＦキャプチャ装置１００と大きく異なるところは、到来する、複数の放送周波数を含む放送電波を受信する受信アンテナ１０１にて受信し、この受信した放送電波を複数分配するアンテナ分配器１０６と、アンテナ分配器１０６にて分配した放送電波から特定放送周波数のＩＦ信号を取得する、放送周波数単位で設けた複数のフロントエンド部１０２Ａ（１０２ａ〜１０２ｅ）と、フロントエンド部１０２Ａにて取得した放送周波数のＩＦ信号をデータ化することでキャプチャデータを作成する、放送周波数単位で設けた複数のキャプチャ集録回路１０３Ａ（１０３ａ〜１０３ｅ）とを備えた点にある。尚、各フロントエンド部１０２Ａは、ＲＦ増幅回路１１１、発振回路１１２、周波数変換回路１１３及びＩＦ増幅回路１１４を備え、各キャプチャ集録回路１０３Ａは、レベル調整回路１２１、Ａ／Ｄ変換回路１２２及びメモリ回路１２３を備えているものとする。
【００２１】
例えば放送電波の放送周波数を５個（ｆ１〜ｆ５）とした場合、フロントエンド部１０２ａは、到来する放送電波から、図７に示すように放送周波数ｆ１の放送信号を抽出し、この抽出した放送信号を周波数変換することで放送周波数ｆ１のＩＦ信号を取得すると共に、キャプチャ集録回路１０３ａは、図８に示すように放送周波数ｆ１のＩＦ信号を個別にレベル調整した後にデータ化することで同放送周波数ｆ１のキャプチャデータを作成するものである。また、フロントエンド部１０２ｂは、到来する放送電波から放送周波数ｆ２の放送信号を抽出し、この抽出した放送信号を周波数変換することで放送周波数ｆ２のＩＦ信号を取得すると共に、キャプチャ集録回路１０３ｂは、同放送周波数ｆ２のＩＦ信号を個別にレベル調整した後にデータ化することで同放送周波数ｆ２のキャプチャデータを作成するものである。尚、フロントエンド部１０２ｃ〜１０２ｅ及びキャプチャ集録回路１０３ｃ〜１０３ｅについても、各放送周波数ｆ３〜ｆ５のキャプチャデータを同様に作成するものである。
【００２２】
次に図６に示すＲＦキャプチャ装置１００Ａの動作について説明する。
【００２３】
アンテナ分配器１０６は、受信アンテナ１０１経由で到来する放送電波を受信すると、放送周波数毎のフロントエンド部１０２Ａ（１０２ａ〜１０２ｅ）に放送電波を分配する。
【００２４】
各フロントエンド部１０２Ａは、放送電波から特定放送周波数の放送信号を抽出し、局部発振周波数に基づき、この抽出した放送信号を周波数変換することで同特定放送周波数のＩＦ信号を取得し、この取得したＩＦ信号を放送周波数毎のキャプチャ集録回路１０３Ａに伝送する。
【００２５】
各キャプチャ集録回路１０３Ａは、レベル調整回路１２１にてフロントエンド部１０２Ａからの特定放送周波数のＩＦ信号の出力レベルを個別に調整し、この調整した特定放送周波数のＩＦ信号をＡ／Ｄ変換回路１２２にてデータ化することで特定放送周波数を集録したキャプチャデータを作成し、この特定放送周波数を集録したキャプチャデータをメモリ回路１２３に記憶する。尚、各キャプチャ集録回路１０３Ａ（１０３ａ〜１０３ｅ）のレベル調整回路１２１は、図８に示すように特定放送周波数のＩＦ信号が一定レベルとなるように出力レベルを夫々調整するものである。
【００２６】
そして、制御回路１０５では、各キャプチャ集録回路１０３Ａ内部のメモリ回路１２３に夫々記憶した各特定放送周波数のキャプチャデータをキャプチャデータ記録回路１０４に記録することになる。
【００２７】
従って、図６に示すＲＦキャプチャ装置１００Ａによれば、アンテナ分配器１０６にて複数の放送周波数を含む放送電波を各フロントエンド部１０２Ａ（１０２ａ〜１０２ｅ）に分配し、各フロントエンド部１０２Ａにて放送周波数毎のＩＦ信号を取得し、各キャプチャ集録回路１０３Ａ（１０３ａ〜１０３ｅ）にて放送周波数毎のＩＦ信号をデータ化することで各放送周波数のキャプチャデータを作成し、これら複数の放送周波数のキャプチャデータをキャプチャデータ記録回路１０４に記録するようにしたので、複数の放送周波数のＩＦ信号の内、出力レベルが小さいＩＦ信号があったとしても、複数の放送周波数を同時集録した正確なキャプチャデータを取得することができる。
【発明の開示】
【発明が解決しようとする課題】
【００２８】
しかしながら、上記従来のＲＦキャプチャ装置１００Ａによれば、放送周波数単位でフロントエンド部１０２Ａ（１０２ａ〜１０２ｅ）及びキャプチャ集録回路１０３Ａ（１０３ａ〜１０３ｅ）を設ける必要があるため、例えば放送周波数が多くなると、ＲＦキャプチャ装置１００Ａ内部の回路構成が複雑化し、装置全体の規模が大型化してしまうといった事態が考えられる。
【００２９】
そこで、本発明は上記点に鑑みてなされたものであり、その目的とするところは、装置内部の回路構成を簡易化し、かつ装置全体規模の小型化を図りながら、複数の放送周波数を同時集録したキャプチャデータを記録することができるＲＦキャプチャ装置を提供することにある。
【課題を解決するための手段】
【００３０】
上記目的を達成するために本発明のＲＦキャプチャ装置は、到来する、複数の放送周波数を含む放送電波を受信する受信アンテナと、この受信アンテナにて受信した放送電波を複数分配するアンテナ分配器と、このアンテナ分配器にて分配された放送電波毎に、異なる放送周波数の中間周波数信号を取得する複数のフロントエンド部とを有するＲＦキャプチャ装置であって、複数のフロントエンド部にて取得した各放送周波数の中間周波数信号を合成する合成回路と、この合成回路にて合成した複数の放送周波数の中間周波数信号をデータ化することで、前記複数の放送周波数を同時集録したキャプチャデータを作成する単一のキャプチャ集録回路と、このキャプチャ集録回路にて作成したキャプチャデータを記録する制御回路とを有するようにした。
【００３１】
本発明のＲＦキャプチャ装置は、前記制御回路が、前記合成回路にて合成した各放送周波数の中間周波数信号の出力レベルを夫々調整すべく、前記キャプチャ集録回路を制御するようにした。
【００３２】
本発明のＲＦキャプチャ装置は、前記制御回路が、前記キャプチャ集録回路にて複数の放送周波数の中間周波数信号をデータ化する際に、前記合成回路にて合成した各放送周波数の中間周波数信号の出力レベルを所定レベルに調整すべく、前記キャプチャ集録回路を制御するようにした。
【発明の効果】
【００３３】
上記のように構成された本発明のＲＦキャプチャ装置によれば、複数のフロントエンド部にて取得した各放送周波数の中間周波数信号を合成する合成回路を備え、この合成回路にて合成した複数の放送周波数の中間周波数信号を単一のキャプチャ集録回路にてデータ化することで、前記複数の放送周波数を同時集録したキャプチャデータを作成し、この作成したキャプチャデータを記録するようにしたので、従来のように放送周波数毎にキャプチャ集録回路を設けるのではなく、キャプチャ集録回路の数が１個で済むため、ＲＦキャプチャ装置内部の回路構成を簡易化し、かつ装置全体規模の小型化を図りながら、複数の放送周波数を同時集録したキャプチャデータを記録することができる。
【００３４】
また、本発明のＲＦキャプチャ装置によれば、合成回路にて合成した各放送周波数の中間周波数信号の出力レベルを夫々調整すべく、前記キャプチャ集録回路を制御するようにした、つまり各放送周波数の中間周波数信号の出力レベルを個別調整可能としたので、データ化する際のＡ／Ｄ変換回路のダイナミックレンジを最大限に活用することで正確なキャプチャデータを取得することができる。
【００３５】
また、本発明のＲＦキャプチャ装置によれば、キャプチャ集録回路にて複数の放送周波数の中間周波数信号をデータ化する際に、合成回路にて合成した各放送周波数の中間周波数信号の出力レベルを所定レベルに調整すべく、前記キャプチャ集録回路を制御するようにしたので、データ化する際のＡ／Ｄ変換回路のダイナミックレンジを最大限に活用することで正確なキャプチャデータを取得することができる。
【発明を実施するための最良の形態】
【００３６】
以下、図面に基づいて本発明の実施の形態を示すＲＦキャプチャ装置について説明する。図１は本実施の形態を示すＲＦキャプチャ装置内部の概略構成を示すブロック図である。
【００３７】
図１に示すＲＦキャプチャ装置１は、到来する、複数の放送周波数を含む放送電波を受信する受信アンテナ２と、この受信アンテナ２にて受信した放送電波を分配するアンテナ分配器３と、アンテナ分配器３にて分配した放送電波から特定放送周波数のＩＦ信号を取得する、放送周波数単位で設けた複数のフロントエンド部４と、各フロントエンド部４にて取得した各放送周波数のＩＦ信号を合成する合成回路５と、この合成回路５にて合成した各放送周波数のＩＦ信号をデータ化することで複数の放送周波数のＩＦ信号を同時集録したキャプチャデータを作成する単一のキャプチャ集録回路６と、このキャプチャ集録回路６にて作成したキャプチャデータを記録するキャプチャデータ記録回路７と、このＲＦキャプチャ装置１全体を制御する制御回路８とを有している。
【００３８】
各フロントエンド部４は、アンテナ分配器３にて分配された放送電波から特定放送周波数の放送信号を抽出し、この抽出した特定放送周波数の放送信号を増幅するＲＦ増幅回路１１と、局部発振周波数を生成する発振回路１２と、局部発振周波数に基づき、ＲＦ増幅回路１１の放送信号を周波数変換することで特定放送周波数のＩＦ信号を取得する周波数変換回路１３と、この周波数変換回路１３にて取得した特定放送周波数のＩＦ信号を増幅するＩＦ増幅回路１４とを有している。
【００３９】
例えば放送電波の放送周波数を５個（ｆ１〜ｆ５）とした場合、フロントエンド部４ａは、図２（Ａ）に示すように放送電波から特定放送周波数ｆ１の放送信号を抽出し、この抽出した放送信号を周波数変換することで特定放送周波数ｆ１のＩＦ信号を取得するものである。また、フロントエンド部４ｂは、放送電波から特定放送周波数ｆ２の放送信号を抽出し、この抽出した放送信号を周波数変換することで特定放送周波数ｆ２のＩＦ信号を取得するものである。尚、フロントエンド部４ｃ〜４ｅについても、各放送周波数ｆ３〜ｆ５の放送信号を抽出し、この放送周波数の放送信号を周波数変換することで各放送周波数のＩＦ信号を取得するものである。
【００４０】
キャプチャ集録回路６は、合成回路５にて合成した各放送周波数（ｆ１〜ｆ５）のＩＦ信号の出力レベルを個別に調整するレベル調整回路２１と、レベル調整したＩＦ信号をデータ化することで複数の放送周波数を同時集録したキャプチャデータを作成するＡ／Ｄ変換回路２２と、これら複数の放送周波数を同時集録したキャプチャデータを記憶するメモリ回路２３とを有している。尚、レベル調整回路２１は、合成した各放送周波数のＩＦ信号を放送周波数単位で個別にレベル調整するものである。
【００４１】
制御回路８は、放送周波数毎にＩＦ信号の出力レベルを調整すべく、レベル調整回路２１を制御すると共に、サンプリングクロックをＡ／Ｄ変換回路２２に供給すると共に、メモリ回路２３に記憶中のキャプチャデータをキャプチャデータ記録回路７に記録するものである。
【００４２】
次に本実施の形態を示すＲＦキャプチャ装置１の動作について説明する。
【００４３】
アンテナ分配器３は、受信アンテナ２経由で放送電波を受信すると、放送電波を各フロントエンド部４（４ａ〜４ｅ）に分配供給する。
【００４４】
各フロントエンド部４のＲＦ増幅回路１１は、放送電波から特定放送周波数の放送信号を抽出し、この抽出した放送信号を周波数変換回路１３に供給する。
【００４５】
周波数変換回路１３は、発振回路１２からの局部発振周波数に基づき、ＲＦ増幅回路１１からの放送信号を周波数変換することで特定放送周波数のＩＦ信号を取得し、この特定放送周波数のＩＦ信号をＩＦ増幅回路１４に供給する。
【００４６】
ＩＦ増幅回路１４は、特定放送周波数のＩＦ信号を増幅し、この増幅した特定放送周波数のＩＦ信号を合成回路５に供給する。
【００４７】
その結果、合成回路５では、フロントエンド部４毎に特定放送周波数のＩＦ信号を夫々取得することになる。
【００４８】
合成回路５は、各フロントエンド部４（４ａ〜４ｅ）のＩＦ増幅回路１４からの放送周波数ｆ１〜ｆ５のＩＦ信号を合成し、この合成した各放送周波数ｆ１〜ｆ５のＩＦ信号をキャプチャ集録回路６に供給する。
【００４９】
キャプチャ集録回路６内のレベル調整回路２１は、制御回路８のレベル制御信号に基づき、図２（Ｂ）に示すように合成した各放送周波数ｆ１〜ｆ５のＩＦ信号の出力レベルを夫々調整し、同調整した各放送周波数のＩＦ信号をＡ／Ｄ変換回路２２に供給する。尚、制御回路８は、レベル調整回路２１にて各放送周波数ｆ１〜ｆ５のＩＦ信号の出力レベルを所定レベルまで、つまり、各放送周波数のＩＦ信号の出力レベルがＡ／Ｄ変換回路２２のダイナミックレンジに最大限に収まるように調整されることになる。
【００５０】
Ａ／Ｄ変換回路２２は、レベル調整回路２１にてレベル調整を施した、合成した各放送周波数のＩＦ信号を、制御回路８からのサンプリングクロックに基づき、データ化することで、複数の放送周波数ｆ１〜ｆ５を同時集録したキャプチャデータを作成し、このキャプチャデータをメモリ回路２３に記憶する。
【００５１】
そして、制御回路８は、メモリ回路２３に記憶中の複数の放送周波数を同時集録したキャプチャデータを読み出し、このキャプチャデータをキャプチャデータ記録回路７に記録することになる。
【００５２】
本実施の形態によれば、複数のフロントエンド部４にて取得した各放送周波数のＩＦ信号を合成する合成回路５を備え、この合成回路５にて合成した複数の放送周波数のＩＦ信号を単一のキャプチャ集録回路６にてデータ化することで、複数の放送周波数を同時集録したキャプチャデータを作成し、この作成したキャプチャデータをキャプチャデータ記録回路７に記録するようにしたので、従来のように放送周波数毎にキャプチャ集録回路を設けるのではなく、キャプチャ集録回路６の数が１個で済むため、ＲＦキャプチャ装置１内部の回路構成を簡易化し、かつ、装置全体規模の小型化を図りながら、複数の放送周波数を同時集録したキャプチャデータを記録することができる。
【００５３】
また、本実施の形態によれば、キャプチャ集録回路６にて複数の放送周波数のＩＦ信号をデータ化する際に、合成回路５にて合成した各放送周波数のＩＦ信号の出力レベルを所定レベルに調整すべく、キャプチャ集録回路６内部のレベル調整回路２１を制御するようにしたので、データ化する際のＡ／Ｄ変換回路２２のダイナミックレンジを最大限に活用することで正確なキャプチャデータを取得することができる。
【００５４】
尚、上記実施の形態においては、放送周波数を５個としたが、この限りでないことはいうまでもない。
【産業上の利用可能性】
【００５５】
本発明のＲＦキャプチャ装置によれば、複数のフロントエンド部にて取得した各放送周波数のＩＦ信号を合成する合成回路を備え、この合成回路にて合成した複数の放送周波数のＩＦ信号を単一のキャプチャ集録回路にてデータ化することで、複数の放送周波数を同時集録したキャプチャデータを作成し、この作成したキャプチャデータを記録するようにしたので、従来のように放送周波数毎にキャプチャ集録回路を設けるのではなく、キャプチャ集録回路の数が１個で済むため、ＲＦキャプチャ装置内部の回路構成を簡易化し、且つ装置全体規模の小型化を図りながら、複数の放送周波数を同時集録したキャプチャデータを記録することができるため、例えば車載用放送受信装置等の放送受信検証等に使用するキャプチャデータを記録するＲＦキャプチャ装置に有用である。
【図面の簡単な説明】
【００５６】
【図１】本発明の実施の形態を示すＲＦキャプチャ装置内部の概略構成を示すブロック図である。
【図２】本実施の形態を示すＲＦキャプチャ装置に関わる各放送周波数のＩＦ信号の出力レベル特性を端的に示す説明図である。（Ａ）各フロントエンド部の入力（Ｂ）レベル調整回路の出力
【図３】従来のＲＦキャプチャ装置内部の概略構成を示すブロック図である。
【図４】図３に示す従来のＲＦキャプチャ装置のフロントエンド部におけるＩＦ信号の出力レベル特性を端的に示す説明図である。
【図５】図３に示す従来のＲＦキャプチャ装置のレベル調整回路におけるＩＦ信号の出力レベル特性を端的に示す説明図である。
【図６】従来のＲＦキャプチャ装置内部の概略構成を示すブロック図である。
【図７】図６に示す従来のＲＦキャプチャ装置の各フロントエンド部におけるＩＦ信号の出力レベル特性を端的に示す説明図である。
【図８】図６に示す従来のＲＦキャプチャ装置の各キャプチャ集録回路内部のレベル調整回路におけるＩＦ信号の出力レベル特性を端的に示す説明図である。
【符号の説明】
【００５７】
１  ＲＦキャプチャ装置
２  受信アンテナ
３  アンテナ分配器
４  フロントエンド部
５  合成回路
６  キャプチャ集録回路
７  キャプチャデータ記録回路
８  制御回路
【図１】
2006279449.tif 000003
【図２】
2006279449.tif 000004
【図３】
2006279449.tif 000005
【図４】
2006279449.tif 000006
【図５】
2006279449.tif 000007
【図６】
2006279449.tif 000008
【図７】
2006279449.tif 000009
【図８】
2006279449.tif 000010